(57)【要約】  シート（２）における物理的特性及び物理的特性の変化を測定するための装置（１）は、シート内に埋設される１つ又はそれよりも多くのセンサ（３）を備え、それによって、センサ（３）は、上述の物理的特性のうちの少なくとも１つを測定し且つ測定される物理的特性又はそのような物理的特性の変化の関数としての電気信号（８）を生成し或いは電気信号（８）に影響を及ぼし、それによって、装置（１）は信号処理ユニット（９）も含み、信号処理ユニットは、センサ（３）又は複数のセンサ（３）から信号処理ユニット（９）に供給される電気信号（８）又は複数の電気信号（８）を処理する。
2014524008.tif 000002
【特許請求の範囲】
【請求項１】
シートにおける物理的特性又は物理的特性の変化を測定するための装置であって、
当該装置は、圧電センサではない少なくとも１つのセンサ又は任意の種類の多数のセンサを含み、前記センサ又は前記多数のセンサは、そのようなシート内に埋設され或いは埋設されるのに適し、それによって、前記センサ又は前記多数のセンサは、前記物理的特性のうちの少なくとも１つを測定することが意図され、それによって、前記センサ又は前記多数のセンサは、測定される物理的特性又は該物理的特性の変化の関数としての電気信号を生成し、或いは、それによって、前記センサ又は前記多数のセンサは、測定される物理的特性又は該物理的特性の変化の関数としての電気信号に影響を及ぼし、それによって、当該装置は、信号処理ユニットも含み、該信号処理ユニットは、前記センサ又は前記多数のセンサから該信号処理ユニットに供給される電気信号又は複数の電気信号を処理する、
装置。
【請求項２】
当該装置は、
−  抵抗センサ、
−  容量センサ
−  誘導センサ、及び／又は
−  圧電センサ
の種類のセンサのうちの１つ又はそれよりも多くのセンサを含むことを特徴とする、
請求項１に記載の装置。
【請求項３】
前記センサの１つ若しくはそれよりも多くのセンサによって生成され或いは影響を及ぼされる電気信号又は多数の前記電気信号は、
−  前記シートの伸長、
−  前記シートにおける静張力分布、
−  前記シートにおける動張力分布、
−  前記シートにおける張力の変化又は前記シートにおける周波数の変化、
−  前記シート上の張力変化の位置、
−  前記シートにおける張力変化の分布、及び／又は
−  前記シートにおける振動周波数
の特徴のうちの少なくとも１つの特徴のための測定値をもたらすことを特徴とする、
請求項１又は２に記載の装置。
【請求項４】
当該装置は、１つ又はそれよりも多くののセンサを含むこと、並びに、これらのセンサのうちの少なくとも一部は、前記シート上の特定の場所に設けられる少なくとも１つのコネクタに接続され、それによって、前記接続は、線、条片、又は領域において前記シートに適用される導電性材料を用いて行われることを特徴とする、請求項１乃至３のうちのいずれか１項又はそれよりも多くの項に記載の装置。
【請求項５】
あらゆるセンサは、前記シート上の特定の場所に適用される単一のコネクタに接続され、それによって、前記接続は、線、条線、又は領域において前記シートに適用される導電性材料を用いて行われることを特徴とする、請求項４に記載の装置。
【請求項６】
前記導電性材料の線、条片、又は領域は、金属材料で構成されることを特徴とする、請求項４に記載の装置。
【請求項７】
前記導電性材料の線、条片、又は領域は、導電性の有機ポリマ材料で作製されることを特徴とする、請求項４に記載の装置。
【請求項８】
前記導電性の有機ポリマ材料は、ＰＥＤＯＴとしても知られるポリ（３，４−エチレンジオキシチオフェン）ポリ−カチオンで構成されることを特徴とする、請求項７に記載の装置。
【請求項９】
前記センサは、円形シートの外縁部付近で円の上に互いに対して規則的な間隔で配置されることを特徴とする、請求項１乃至８のうちのいずれか１項又はそれよりも多くの項に記載の装置。
【請求項１０】
前記コネクタは、前記円形シートの外縁部に設けられ、前記導電性材料は、前記円付近で前記円形シートの外縁部に、多数の線、条片、又は領域において適用されることを特徴とする、請求項４及び９に記載の装置。
【請求項１１】
前記センサの少なくとも１つによって生成され或いは影響を及ぼされる電気信号は、前記信号処理ユニットに適用され、これは少なくとも部分的に無線接続を用いて行われることを特徴とする、請求項１乃至１０のうちのいずれか１項又はそれよりも多くの項に記載の装置。
【請求項１２】
前記センサによって生成され或いは影響を及ぼされる全ての電気信号は、無線接続を用いて前記単一のコネクタから前記信号処理ユニットに供給されることを特徴とする、請求項５及び１１に記載の装置。
【請求項１３】
前記信号処理ユニットに供給される前記電気信号は、
−  前記出力は前記シートに対する衝撃の強さの関数としての信号である、
−  前記出力は前記シートにおける振動の強さ又は周波数の変化の関数としての信号である、
−  前記出力は前記シートに対する衝撃の位置の関数としての信号である、
−  前記出力は前記シートにおける張力分布又は張力分布の変化の関数としての信号である、
−  前記出力は前記シートの同調のために使用される前記シートにおける張力分布に関する表示である、或いは
−  前記出力は前記シートの同調のために使用される前記シートにおける静張力の量に関する表示である
形態の１つ又はそれよりも多くの形態或いはそれらの組み合わせにおいて出力を創成するような方法において処理されることを特徴とする、請求項１乃至１２のうちのいずれか１項又はそれよりも多くの項に記載の装置。
【請求項１４】
前記信号処理ユニットは、前記シートの同調のための装置として設計されることを特徴とする、請求項１乃至１３のうちのいずれか１項又はそれよりも多くの項に記載の装置。
【請求項１５】
前記信号処理ユニットは、サンプリングされ或いは変調させられるのに適した出力を生成することを特徴とする、請求項１乃至１４のうちのいずれか１項又はそれよりも多くの項に記載の装置。
【請求項１６】
前記信号処理ユニットは、音断片を記憶するデータベースに結合されるのに適した出力を生成することを特徴とする、請求項１乃至１５のうちのいずれか１項又はそれよりも多くの項に記載の装置。
【請求項１７】
シートであって、
当該シートにおける少なくとも１つ又はそれよりも多くの物理的特性又は物理的特性の変化を測定するために当該シート内に埋設される多数のセンサを含み、該多数のセンサは、測定される物理的特性又は物理的特性の変化の関数としての電気信号を生成し或いは電気信号に影響を及ぼし、それによって、当該シートは、当該シートを信号処理ユニットと接続するための少なくとも１つのコネクタも含み、前記信号処理ユニットは、前記多数のセンサから前記信号処理ユニットに供給される電気信号を処理するために設計される、
シート。
【請求項１８】
当該シートは、合成材料で作製されることを特徴とする、請求項１７に記載のシート。
【請求項１９】
当該シートは、二軸延伸ポリエチレンテレフタレート（ｂｏＰＥＴ）で作製されることを特徴とする、請求項１８に記載のシート。
【請求項２０】
当該シートは、皮で作製されることを特徴とする、請求項１７に記載のシート。
【請求項２１】
当該シートは、少なくとも部分的にメッシュ、穴、切欠き、又は孔を備え、或いは、少なくとも部分的にネット形状構造を備えることを特徴とする、請求項１７乃至２０のうちのいずれか１項に記載のシート。
【請求項２２】
当該シートは、多数のシート層（又はプライ）で構成されることを特徴とする、請求項１７乃至２１のうちのいずれか１項に記載のシート。
【請求項２３】
当該シートは、少なくとも１つのシート層（又はプライ）を含み、該少なくとも１つのシート層（又はプライ）は、少なくとも部分的にメッシュ、穿孔、孔、又は切欠きを備え、或いは、少なくとも部分的にネット形状構造と、メッシュ、穿孔、孔、又は切欠きを有さない或いはネット形状構造を有さない少なくとも１つのシート層（又はプライ）とを有することを特徴とする、請求項２１及び２２に記載のシート。
【請求項２４】
前記センサは、メッシュ、穿孔、孔、又は切欠きを有さない或いはネット形状構造を有さない前記シート層（又はプライ）の１つ又はそれよりも多くのシート層（又はプライ）内に、或いは、メッシュ、穿孔、孔、又は切欠きを有さない或いはネット形状構造を有さないシート層（又はプライ）の一部内に埋設されることを特徴とする、請求項２３に記載のシート。
【請求項２５】
前記センサは、メッシュ、穿孔、孔、又は切欠きを備えない或いはネット形状構造を備えない前記シート層（又はプライ）の１つ又はそれよりも多くのシート層（又はプライ）内に埋設され、これらの層（又はプライ）は、メッシュ付きシート層（又はプライ）、ネット形状構造を備えるシート層（又はプライ）、又は穿孔、孔、穴、若しくは切欠きを備えるシート層（又はプライ）が広がる中央の円形孔を備えることを特徴とする、請求項２４に記載のシート。
【請求項２６】
前記センサは、当該シートのシート層（又はプライ）の１つの側よりも多い側の内に設けられることを特徴とする、請求項１７乃至２５のうちのいずれか１項又はそれよりも多くの項に記載のシート。
【請求項２７】
前記センサは、当該シートの一方の側に設けられ、或いは、当該シートのシート層（又はプライ）の一方の側に設けられることを特徴とする、請求項１７乃至２６のうちのいずれか１項又はそれよりも多くの項に記載のシート。
【請求項２８】
当該シート上の前記センサは、機械的エネルギを電気的エネルギに変換する変換器によって給電されることを特徴とする、請求項１７乃至２７のうちのいずれか１項又はそれよりも多くの項に記載のシート。
【請求項２９】
当該シートは、打楽器の皮面であることを特徴とする、請求項１７乃至２７のうちのいずれか１項又はそれよりも多くの項に記載のシート。
【発明の詳細な説明】
【技術分野】
【０００１】
本発明は基板シート又は箔材料における物理的特性及び／又は物理的特性の変化を測定するための装置に関する。
【背景技術】
【０００２】
測定されるべき物理的特性は、例えば、シートにおける静的張力又は動的張力の分布、シートにおける伸長、シートにおける振動周波数、及び／又は任意の種類の１つ又はそれよりも多くの物理的特性であり得る。
【０００３】
本発明に従ったそのような測定装置の典型的な用途は、例えば、この装置を用いた、例えば、マイラー（ＰＥＴ）膜等で作製される打楽器の皮面(head)における張力分布の測定であり得る。
【０００４】
そのような打楽器の皮面は、ドラム、コンガ、若しくはボンゴの皮面、又は打楽器の任意の他の皮面であり得る。
【０００５】
他の楽器の皮面、例えば、バンジョの皮面も、本発明から除外されない。
【０００６】
シート材料の物理的特性、特に打楽器の物理的特性を測定するための幾つかの装置が既に存在する。
【０００７】
例えば、ドラム皮面上の物理的特性を測定するための既知の装置では、一体的な方法であろうがなかろうが、圧電センサがドラム皮面の上に配置され或いは接着される。
【０００８】
この圧電センサは、測定される圧力、又は圧力、加速、若しくは力の変化の関数としての電気信号を生成するのが普通である。
【０００９】
典型的には既知の装置において、その目的は、ドラムスティックでドラム皮面を打つときに、上述の圧電センサを用いて検出することである。
【００１０】
検出のこの方法は、トリガリングとしても知られている。
【００１１】
その場合には、電気信号が圧電センサによって生成され、この電気信号は、例えば、使用者によって選択される全ての種類の音を生成するために、電子コントローラに供給される。
【００１２】
しかしながら、皮面における物理的特性を測定するための既知の電気装置は、限定的な可能性を有するに過ぎない。
【００１３】
第１に、物理的特性を測定するための可能性は、使用されるセンサの種類によって限定される。
【００１４】
更に、例えば、既知の電気機械又は方法を用いて皮面における張力分布を測定することは不可能である。
【００１５】
既知の電気機械を用いるならば、ドラムスティックでドラム皮面を打った正確な場所を検出することも不可能である。
【００１６】
その上、既知の装置及び方法を用いるならば、皮面上のセンサからの電気信号を処理するための電子コントローラの可能性も極めて限定的である。
【発明の概要】
【発明が解決しようとする課題】
【００１７】
従って、本発明は、上述の及び／又は他の可能な不利点の１つ又はそれよりも多くのための解決をもたらすことを目的とする。
【００１８】
本発明は、この目的のために既知の装置よりも多くの可能性を少なくとももたらす、皮面における物理的特性及び／又は物理的特性の変化を測定するための装置の改良を提供することを目的とする。
【課題を解決するための手段】
【００１９】
この目的を達成するために、本発明はシート材料における物理的特性又は物理的特性の変化を測定するための装置に関し、当該装置は、圧電センサでない少なくとも１つのセンサ又は任意の種類の多数のセンサを含み、センサ又は多数のセンサは、シート材料の上に設けられ或いはシート材料の上に設けられるのに適し、且つ、上述の物理的特性のうちの少なくとも１つを測定するために意図され、それによって、センサ又は多数のセンサは、測定される物理的特性又はそのような物理的特性の変化の関数としての電気信号を生成し或いは電気信号に影響を及ぼし、それによって、当該装置は信号処理ユニットも含み、信号処理ユニットは、センサ又は多数のセンサから信号処理ユニットに供給される電気信号又は複数の電気信号を処理する。
【００２０】
本発明に従ったシート材料の物理的特性又は物理的特性の変化の測定のためのそのような装置の第１の重要な利点は、圧電センサでないセンサを選択することによって或いは任意の種類の多数のセンサを選択することによって、単一の圧電センサを備える既知の装置及び方法を用いるよりも、他の物理的特性又は他の複数の物理的特性或いは他の物理的特性又は他の複数の物理的特性の変化を測定し得る。
【００２１】
他の物理的特性又は他の複数の物理的特性或いは他の物理的特性又は他の複数の物理的特性の変化の測定は、新しい用途の開発を可能にする。
【００２２】
本発明に従った装置の好適実施態様において、装置は多数のセンサを含み、それらは、例えば、シートにおける多数の位置に埋設され、且つ／或いは、例えば、同じ種類又は異なる種類であり得る。
【００２３】
本発明に従った装置のそのような実施態様の重要な利点は、多数の測定値を考慮に入れることによって、静的条件及び動的条件において、シートの実際の状態のより現実的なイメージを得ることが可能であることである。
【００２４】
また、シートの表面の変動も考慮に入れ得る。
【００２５】
そのようにして、そのような測定装置は多数の新しい用途を切り開く。
【００２６】
例えば、ドラム皮面における、例えば、張力の強さ及び／又は張力分布を測定することによって、ドラム皮面のために使用し得る表示を得ることができる。
【００２７】
ドラム皮面を同調させるそのような表示を、例えば、ドラム皮面における張力の強さ又は張力の分布の測定値に基づき生成し得るし、ドラム皮面を同調させるそのような表示は、例えば、ドラム皮面の張力ボルトの１つ又はそれよりも多くのボルトを締め付け或いは緩めることによって、例えば、ドラム皮面における張力のどこが増大させられ或いは減少させられるべきかについての表示であり得る。
【００２８】
そのような用途において、信号処理ユニットは、ドラム皮面を同調させるための装置として設計（着想）されるのが好ましく、或いは、信号処理ユニットは、同調装置のための入力信号として働き得る出力信号をもたらす。
【００２９】
他の用途において、時間の経過に伴う皮面における張力分布の測定又は皮面に対する衝撃の位置の検出をデータベース中に記憶する音響ファイルと関連付け得る。
【００３０】
本発明は、シート材料における物理的特性又は物理的特性の変化を測定するための本発明に従った装置の使用のために適合されるシート材料にも関する。
【００３１】
本発明に従ったそのような皮面又はシート材料は、シートにおける１つ又はそれよりも多くの物理的特性又は物理的特性の変化を測定するためにシート内に埋設される多数のセンサを備え、それによって、センサは、測定される物理的特性又は物理的特性の変化の関数としての電気信号を生成し或いは電気信号に影響を及ぼすのに適し、加えて、シート材料は、シートをセンサから信号処理ユニットに供給される信号を処理することが意図される信号処理ユニットと接続する少なくとも１つのコネクタを備える。
【００３２】
シート上の少なくとも１つのコネクタを介して信号処理ユニットに電気信号を供給する多数のセンサを備えるそのようなシート材料は、上述の用途及び他の用途に極めて適している。
【００３３】
本発明の特徴をより十分に示すという意図を持って、如何なる限定的な性質をも有しない実施例として、添付の図面を参照して、本発明に従った装置及びシートの幾つかの可能な好適な実施態様を以下に提示する。
【図面の簡単な説明】
【００３４】
【図１】単一のセンサを備える本発明に従った装置の第１の実施態様を示す概略図である。
【図２】多数のセンサを備える本発明に従った装置の他の実施態様を示す概略図である。
【図３】８個の埋設センサを備える本発明に従った並びに本発明に従って使用されることが意図されるドラム皮面を示す概略図である。
【図４】Ｆ４として示される図３の部分をより詳細に示す頂面図である。
【図５】多数の層で構成される本発明に従ったシートの可能な実施態様を通じた図４中の線Ｖ−Ｖに沿う断面を示す断面図である。
【図６】本発明に従った円形シートを概略的に示す頂面図であり、各シートは円形シートの外縁部で円に近接して互いに規則的な距離にある１０個のセンサを備え、シートを張るためにシートは６個のボルトを装備する。
【図７】本発明に従った円形シートを概略的に示す頂面図であり、各シートは円形シートの外縁部で円に近接して互いに規則的な距離で１０個のセンサを備え、シートを張るためにシートは８個のボルトを装備する。
【図８】本発明に従った円形シートを概略的に示す頂面図であり、各シートは円形シートの外縁部で円に近接して互いに規則的な距離にある１０個のセンサを備え、シートを張るためにシートは１０個のボルトを装備する。
【図９】径方向及び同軸の場の組み合わせを用いて本発明に従った円形シートを場においてどのように分割し得るかを示す説明図である。
【図１０】径方向及び同軸の場の組み合わせを用いて本発明に従った円形シートを場においてどのように分割し得るかを示す説明図である。
【図１１】径方向及び同軸の場の組み合わせを用いて本発明に従った円形シートを場においてどのように分割し得るかを示す説明図である。
【図１２】皮面を打ち得る異なるモードを示す概略図である。
【図１３】皮面を打ち得る異なるモードを示す概略図である。
【図１４】皮面を打ち得る異なるモードを示す概略図である。
【図１５】皮面を打ち得る異なるモードを示す概略図である。
【図１６】皮面を打ち得る異なるモードを示す概略図である。
【図１７】皮面を打ち得る異なるモードを示す概略図である。
【図１８】皮面を打ち得る異なるモードを示す概略図である。
【図１９】皮面を打ち得る異なるモードを示す概略図である。
【図２０】皮面を打ち得る異なるモードを示す概略図である。
【図２１】皮面を打ち得る異なるモードを示す概略図である。
【発明を実施するための形態】
【００３５】
図１に示すような本発明に従った装置は、シート２における物理的特性又は物理的特性の変化、例えば、図１中にシート２の傍に矢印によって記号的に示すような、シート２の移動、シート２における張力変化、又はシート２における伸長等を測定することが意図される。
【００３６】
本発明に従った装置１の図１中の実施態様において、装置１は可変型の単一のセンサ３を有するが、センサ３は圧電センサ４ではない。
【００３７】
センサ３は、例えば、容量センサ５、抵抗センサ６、又は誘導センサ７であり得るが、シート２の物理的特性又は状態を測定するための他の種類のセンサ３も決して除外されない。
【００３８】
単一のセンサ３を備える本発明に従った装置１における用途のための異なる可能な種類のセンサ３の概要が、図１の右側部分に一例として示されている。
【００３９】
センサ３は測定されるべきシート２の物理的特性又は状態を測定するのに適している必要があり、従って、シート２の上に設けられなければならないか、或いはシート２の上に設けられるのに適している必要があるのは明らかである。
【００４０】
センサ３は、シート２のそのような物理的特性又はそのような物理的特性の変化の関数としての電気信号８を生成するか、或いはそのような電気信号８に影響を及ぼさなければならない。
【００４１】
例えば、容量センサ５を使用するときに、シート２の振動がシート２の厚みの局所的な変化に続く或いはシート２のシート層（又はプライ）の間の距離の変化に続く蓄電板の相互に対する相対運動に対応して容量の測定可能な変化をもたらすよう、蓄電板の第１のものをシート２の頂面に或いはシート２の第１のシート層（又はプライ）に適用し、そして、他の蓄電板をシート２の底面に或いはシート２の他のシート層（又はプライ）に適用し得る。
【００４２】
同様に、既知の技法に従って誘導センサ７を適用し得る。その場合には、例えば、物理的特性の変化が（例えば誘導回路における空気間隙の大きさの変化を通じて）誘導回路の電気抵抗の変化を生成し、渦電流を生成し、或いは磁場内の移動による電圧（ホール効果）等を生成するので、測定される物理的特性は、誘導センサ７に対してある効果を有するのが好ましい。
【００４３】
例えば、シート２の変形(transformation)が抵抗センサ６の変形、従って、抵抗センサ６の抵抗の変化を生成するよう、シート２の上に抵抗センサ６を接着し或いは適用することによって、シート２における伸長の測定を行い得る。
【００４４】
これはシート２における張力の影響の下でのセンサ３の位置でシート２の局所的な伸長を測定する可能な方法の１つであるが、他の可能性も決して除外されない。
【００４５】
更に、本発明に従った装置１は、電気信号８を処理するための信号処理ユニット９を含み、電子信号８はセンサ３から信号処理ユニット９の入力部１０で供給される。
【００４６】
そのような信号処理ユニット９を、例えば、主として電子回路等で構成し得る。電子回路では、信号処理ユニット９の入力部１０でのセンサ３の電気信号８、典型的には、入力電圧８は、信号処理ユニット９の出力部１２での電気信号１１、典型的には、出力電圧１１に変換される。
【００４７】
図示の実施例において、信号処理ユニット９の出力部１２での電気信号１１は、ケーブル布線１３を介してコンピュータ１４に供給され、音響システム１５がコンピュータ１４に接続される。
【００４８】
コンピュータ１４は、電気信号１１の関数として、例えば、特定の図形出力を生成するために、或いは音響システム１５を通じて特定のデジタル式に記憶される音響ファイルを演奏するために、例えば、信号処理ユニット９の電気信号１１を更に処理するソフトウェアを備え得る。
【００４９】
多くの他の実施態様が除外されないのは明らかである。
【００５０】
例えば、信号処理ユニット９は、コンピュータ１４の一体的な部分であり得るし、例えば、特別に適合させられるソフトウェアで簡単に実現され得る。
【００５１】
また、信号処理ユニット９を、それ自体、例えば、ディスプレイ、又は、例えば、測定される物理量の読出しを直接的に表示するＬＥＤを用いて、或いは、例えば、音響信号等を介して、使用者に直接的な表示をもたらす家庭電化製品として設計（着想）し得る。それらの全ては、シート２等の同調に関する表示をもたらす目的のためである。
【００５２】
図１に示すような、本発明に従った装置１のこの最も本質的な実施態様は、測定される物理量に最適なセンサ３が適用されるので、既知の装置と比べて実質的な利点を既にもたらしている。
【００５３】
図２に概略的に示す本発明に従った装置１のより好適な実施態様によれば、同じ種類のセンサ３であれ異なる種類のセンサ３の組み合わせであれ、任意の種類の多数のセンサ３が適用される。
【００５４】
図２の右側部分における例示に示すように、例えば、１つ又はそれよりも多くの容量センサ５、抵抗センサ６、又は誘導センサ７等との組み合わせであろうがなかろうが、１つ又はそれよりも多くの圧電センサ４を埋設し得る。
【００５５】
多数のセンサ３の全ては、例えば、シート２における特定の位置でのシート２の移動又はシート２における特定の位置での張力又は伸長の変化等のような、シート２における１つ又は他の物理的特性の関数として、電気信号８を生成し或いは電気信号８に影響を及ぼす。
【００５６】
その場合には、図２に示す実施態様におけるように、センサ３の全ては、信号処理ユニット９の１つ又は多数の入力部１０と接続され、それによって、所与の電気信号８は、信号処理ユニット９内の１つ又は多数の出力部１２における１つ又は多数の電気信号１１に信号処理ユニット９内で変換される。
【００５７】
本発明に従った装置１は、センサ３によって生成され或いは影響を与えられる電気信号８又は多数の電気信号８の組み合わせが以下の特性のうちの少なくとも１つのための測定値をもたらすよう設計（着想）されるのが好ましい。
−  シート２の伸長。
−  シート２の上の静張力。
−  シート２の上の動張力。
−  シート２における張力変化又はシート２における周波数変化。
−  シート２における張力変化の位置。
−  シート２における張力変化の分布。
−  シート２における振動周波数。
【００５８】
図３は、前述したような並びに図１及び２に概略的に示すような本発明に従った装置における使用のために完全に適合された、本発明に従ったシート２の斜視図を示している。
【００５９】
図３における実施態様に従ったシート２は、シート２における少なくとも１つ又は多数の物理的特性又はそのような物理的特性の変化を測定する目的で、シート２内に埋設された多数のセンサ３、所与の場合には８個のセンサを備える、打楽器の皮面２の円形膜である。
【００６０】
センサ３、そして、拡張的に、シート２も、本発明に従った装置１の一部として設計（着想）される。
【００６１】
センサ３は、円形シート２の外縁部１６付近で、円Ｃの上で互いに規則的な間隔で配置されている。
【００６２】
シート６２は、前述のように、シート２を本発明に従った装置１の信号処理ユニット９と接続させるコネクタ１７を更に含み、それによって、この信号処理ユニット９は、センサ３から信号処理ユニット９に供給される電気信号８を処理することが意図される。
【００６３】
この場合、各センサ３は、シート２の外縁部１６付近の所与の位置に設けられる単一のコネクタ１７に接続され、それによって、センサ３とコネクタ１７との間の接続は、導電性材料１８を使用することによって実現され、導電性材料１８は、線、条片（ストリップ）(strip)、又は領域(area)の形態においてシート２の上に適用される。
【００６４】
（図４に更に詳細に例示する）図３中の図示の実施例において、シート２上のセンサ３とコネクタ１７との間の各接続は、導電性材料１８の一対の隣接するトレースによって実現され、そのコネクタ１７内の部分１９が径方向場(radial  field)においてシート２から伸び、その関連するセンサ３の位置における部分２０も関連するセンサ３から径方向場に延び、その介在部分２１がシート２の外縁部１６付近に同心状に適用されている。
【００６５】
シート２の外縁部１６付近の利用可能な空間を可能な限り効果的に使用するために、コネクタ１７に最も近接するセンサ３の導電性材料１８のトレースの同心状部分２１は、シート２の径方向内向きに配置されている。
【００６６】
隣接するセンサ３の導電性材料１８のトレースを切断する必要なく、連続的なセンサ３の導電性材料１８のトレースの同心状部分２１が共に近接し合い且つ径方向部分１９及び２０がコネクタ１７まで並びに関連するセンサ３まで続き得るよう、後続のセンサ３の導電性材料１８のトレースの同心状部分２１は、漸進的に径方向により外向きに適用される。
【００６７】
今まで、導電性材料１８のトレースを議論するとき、シート２は単一のシート層（又はプライ）で構成されること、並びにセンサがこのシート層の一方の側に適用されることが暗に想定されていた。
【００６８】
この構成において、導電性材料１８のトレースは、ポリマで構成される誘電体、例えば、絶縁層によって互いに分離されている。
【００６９】
単一のシート層の単一の側に適用される容量センサ５を以下で構成し得る。
−  基板としてのシート２。
−  その一方の側に、導電性材料１８の第１の層が適用され、センサ５の第１の電極を形成する。
−  この第１の導電層１８は、例えば、ポリマによって形成される、誘電性の絶縁層によって覆われる。
−  次に、その上に、導電性材料１８の第２の層が適用される。
【００７０】
本発明によれば、これは必ずしも当て嵌まる必要はなく、多数のシート層（又はプライ）を備えるシート２を製造すること及びシート２のシート層の１つよりも多くの側にセンサ３を埋設することは完全に可能である。
【００７１】
図５の断面には、異なるシート層（又はプライ）から成るそのようなシート２が提示されている。
【００７２】
より具体的には、図示の実施例におけるシート２は、シート２の外縁部１６付近の頂部シート層（又はプライ）２３と底部シート層（又はプライ）２４とを備える介在シート層（又はプライ）２２で構成されている。
【００７３】
この場合には、シート２が打楽器の上に伸ばされるとき、通常の使用中、この実施態様において、介在シート層（又はプライ）２２のみが打たれるよう、頂部シート層（又はプライ）２３及び底部シート層（又はプライ）２４は、円形の条片によって形成される。
【００７４】
本発明によれば、介在シート層及び／又は他のシート層（又はプライ）の全てに広がる(span)より多くの又はより少ないシート層の適用が除外されないのはもちろんである。
【００７５】
本発明に従ったシート２の図５に示すような実施態様において、各センサ３は容量センサ５として設計（着想）され、それによって、各センサ３は、介在シート層（又はプライ）２２の第１の側２６に適用される導電性部分２５や、介在シート層（又はプライ）２２の他の側２８に適用される導電性部分２７も有する。
【００７６】
各センサ３のこれらの導電性部分２５及び２７は、導電性材料１８のトレースを介してシート２のコネクタ１７に接続される。
【００７７】
これによって、介在シート層（又はプライ）２２は誘電体を形成し、従って、２つの導電性部分２５及び２７を分離する電気絶縁部分を形成する。
【００７８】
頂部シート層（又はプライ）２３及び底部シート層（又はプライ）２４も誘電体で構成され、センサ部分２５及び２７並びに導電性材料１８のトレースの保護体として機能する。
【００７９】
同様に、導電性材料１８の１つ又はそれよりも多くの領域をシート２の上に或いはシート２の１つ又は多数のシート層（又はプライ）の上に適用することによって、他の種類のセンサ３を実現し得るのはもちろんである。
【００８０】
この場合、シート２は、部分的にメッシュ、穿孔、切欠き、孔、又は穴２９も備える、換言すれば、シート２は、少なくとも部分的にネット形状構造、メッシュ構造、穿孔構造、又は織構造等を備える。
【００８１】
より具体的には、図５の実施例において、介在シート層（又はプライ）２２は、センサ３を備える径方向外側部分に伸び且つ打楽器におけるシート２の使用中に打たれることが意図される円形部分内に、そのようなメッシュ、切欠き、穴、又は孔２９を備える。
【００８２】
穴又は孔２９の目的は、例えば、ドラムスティック等でシート２を打つ典型的な結果としての振動によって引き起こされる音の生成又は空気の移動を可能な限り阻止し或いは制限することである。
【００８３】
その可能な適用では、例えば、ヘッドホンを通じて、シート２上のセンサ３は、ドラムスティックがシート２を打つときに音声ファイルを演奏するために使用される。
【００８４】
このようにして、打楽器奏者は従来的な打楽器を演奏するときに生成される音と匹敵する音を一組のヘッドホンを通じて依然として知覚し得るが、打楽器奏者は、他の人々が邪魔されないよう、音レベルが生成されない或いはむしろ限定的な音レベルが生成される間に打楽器を演奏することが可能にされる。
【００８５】
また、図５中の実施例において、介在シート層（又はプライ）２２は、メッシュ、穿孔、切欠き、孔、又は穴２９を部分的に備え或いはネット形状構造を有するのに対し、シート層（又はプライ）２３及び２４における中央の円形孔３０がメッシュ、穿孔、切欠き、孔、又は穴２９と考えられない限りにおいて、シート層（又はプライ）２３は、メッシュ、穿孔、孔、又は穴２９を備えず或いはネット形状構造を有さないことを記すことは重要である。
【００８６】
次に、センサ３は、関連するシート層（又はプライ）２２乃至２４の良好な振動伝達又は変換の伝達が保証されるよう、メッシュ、穿孔、切欠き、孔、又は穴２９を示さない或いはネット形状構造を有鎖な介在シート層（又はプライ）２２の一部と、メッシュ、穿孔、切欠き、孔、又は穴２９を同様に有さないそのようなシート層（又はプライ）２３及び２４との間に埋設され、シート層（又はプライ）２３及び２４は、メッシュ付き介在シート層（又はプライ）、ネット形状構造を備えるシート層（又はプライ）２２、或いは打楽器奏者のドラムスティック用の無騒音打撃表面を得るために穿孔、孔、穴、又は切欠き２９を備えるシート層（又はプライ）２２が広がる、中央円形孔を備える。
【００８７】
本来的に、図５の断面に示すような実施態様は、多くの可能性のうちの１つであるに過ぎない。
【００８８】
例えば、円形の孔及び／又はネット形状構造を備えていようが備えていまいが、より多くの或いはより少ないシート層（又はプライ）でシート２を極めて良好に構成し得る。
【００８９】
また、誘電体によって互いに対して分離される、可能であれば部分的に重なり合う導電性材料１８の領域を用いて、個々のセンサ３をシート２の多数の層内に埋設し得るし、センサ３及び導電性材料１８のトレースを幾つかの層の上に互いに対して適用し得る。
【００９０】
シート２又はシート２のシート層（又はプライ）は、導電性材料１８のトレース、線、条片、又は領域を分離する誘電体として機能し得るが、そのような分離材料のために、誘電体として機能し得、且つこの目的のためにシート２又はシート２のシート層（又はプライ）の上に特に適用される材料も使用し得る。
【００９１】
更に、例えば、シート２に対して或いはシート２の１つ又は多数のシート層（又はプライ）に適用される導電性材料１８のトレース等によって互いに平行に或いは直列にセンサ３を接続することによって、シート２上の多数のセンサ３を前述以外に構成し得る。
【００９２】
本発明に従ったシート２の好適実施態様によれば、シート２は合成材料で作製される。
【００９３】
本発明に従ったシート２の一層更なる好適実施態様によれば、シート２は二軸延伸ポリエチレンテレフタレート（ｂｏＰＥＴ）で作製される。
【００９４】
しかしながら、本発明によれば、代替的に、打楽器において一般的であるような皮や提案される用途に適した任意の他の材料でシート２を作製することは除外されない。
【００９５】
導電性材料１８の線、条片、トレース、又は領域のために、例えば、金属材料を使用し得る。
【００９６】
他の可能性は、導電性の有機ポリマ材料の、導電性材料１８の線、条片、トレース、又は領域を製造することである。
【００９７】
本発明に従った特に適した導電性の有機ポリマ材料は、ＰＥＤＯＴとしても既知のポリ（３，４−エチレンジオキシチオフェン）ポリ−カチオンである。
【００９８】
本来的に、導電性材料１８を製造するための他の材料は除外されない。
【００９９】
例えば、フレキソ印刷技法、オフセット印刷技法、回転スクリーン印刷技法、ロール焼付け、インクジェット印刷、又は任意の他の適切な印刷技法を使用して、導電性材料１８の条片又は領域みよって形成されるパターンを、例えば、シート２の上に印刷し或いはインクジェット印刷し得る。
【０１００】
印刷技法の使用に対する利点は、それが経済的な方法において大量に印刷する可能性を創成することである。
【０１０１】
ロールの上に印刷することによって、製造コストを最小限化し得る。
【０１０２】
使用される印刷技法は、それらが電子回路を実現可能であり且つ好ましくはこの目的のために最適化されるように適合される必要がある。
【０１０３】
従って、これらの印刷技法では、関連する用途のための、例えば、打楽器皮面における用途のための適切な電気特性を備える完成品を得るために、特別に適合させられる解像度及び高精度又は確度が適用され、適合印刷インクが使用される。
【０１０４】
フレキソ印刷法の適用の利点は、この印刷法が合成基板の上に印刷するのに極めて適した高圧印刷プロセスを含むことである。
【０１０５】
オフセット印刷法は、高い解像度を可能にする平坦（平版）印刷法である。
【０１０６】
凹版(engraving)印刷法は、低圧印刷法であり、よって、有機溶剤を使用可能であり、大量生産に適している。
【０１０７】
回転スクリーン印刷は、比較的厚い層における印刷を可能にする印刷法である。
【０１０８】
追加的に、均一で薄い被覆層を基板に塗布し得る多様な方法の総称である所謂コーティング方法もある。
【０１０９】
この代替的な方法を用いるならば、例えば、所謂物理蒸着法（ＰＶＤ）を適用することによって、所謂化学蒸着法（ＣＶＤ）を適用することによって、所謂原子層蒸着（ＡＬＤ）を適用することによって、或いはスパッタ塗工技法等を適用することによって、シートの上に、条片、トレース、線、又は領域を塗工し得る。
【０１１０】
導電性材料１８で構成されるトレース、条片、領域等の適用のための更に他の技法は、本発明に従って排除されない。
【０１１１】
本発明に従ったシート２又は装置１の代替的な実施態様によれば、電気信号８が、コネクタ１７を介して信号処理ユニット９に直接的に供給されないセンサ３のうちの少なくとも１つによって或いは如何なる場合においても直接的な物理的な接触を用いないで生成されるが、伝達は無線接続を用いて少なくとも部分的に起こり、電磁放射の伝達によって起こることを意味する。
【０１１２】
そのような場合には、センサ３によって生成される或いは影響を及ぼされる全ての電気信号８は、無線接続を用いて単一のコネクタ１７から信号処理ユニット９に供給されるのが好ましい。
【０１１３】
そのような実施態様が、普通は打楽器におけるシート２上の測定が与えられるならば多くの利点をもたらすことは明らかであり、その測定の処理は、個々の位置をもたらし、ケーブル布線等によって妨げられないで起こり得る互いに対して移動する位置さえももたらし、使用者により多くの移動の自由を許容する。
【０１１４】
本発明に従ったシート２又は装置１の更に他の実施態様において、シート２上のセンサ３は、機械的エネルギを電気エネルギに変換する変換器によって給電される。
【０１１５】
そのような実施態様は、センサ３に多くの自律性を許容し、センサ３の電気供給のためにケーブル布線が必要とされないという事実を考えれば、無線接続を用いる前述の用途により一層適する。
【０１１６】
前述のような本発明に従ったシート２で実現されるにしてもされないにしても、全ての種類の用途のために本発明に従った装置１を使用し得る。
【０１１７】
信号処理ユニット９は、信号処理ユニット９に供給される電気信号８が処理されると同時に、以下の形態の１つ又はそれよりも多くの或いはそれらの組み合わせにおける出力を創成するような方法において設計（着想）されるのが好ましい。
−  出力はシート２に対する衝撃の強さの関数としての電気信号８である。
−  出力はシート２の強さの変化又は振動周波数の変化の関数としての電気信号１１である。
−  出力はシート２に対する衝撃の位置の関数としての電気信号１１である。
−  出力はシート２における張力分布又は緒力分布における変化の関数としての音又は信号である。
−  出力はシート２の同調のために使用されるシート２における張力分布に関する表示である。
−  出力はシート２の同調のために使用されるシート２における静張力の量に関する表示である。
【０１１８】
本発明に従った装置１の興味深い実施態様は、例えば、サンプリング又は変調に適した出力を生成する信号処理ユニット９を有する。
【０１１９】
本発明に従った装置１の更に他の興味深い実施態様は、例えば、音の断片を記憶するコンピュータ１４のデータベースに連結（リンク）されるのに適した出力を生成する信号処理ユニット９を有する。
【０１２０】
本来的に、多くの他の用語が本発明から除外されない。
【０１２１】
本発明によれば、センサ３によって生成され或いは影響を及ぼされる電気信号８は、好ましくは直接的に或いは組み合わせにおいて、シート２の特定の領域におけるシート２の状態についての情報を供給し得る。信号処理ユニット９は、センサ３による測定値をシート２のこれらの特殊ゾーン内の物理的特性にリンクさせる（関連付ける）ために、電信号８を処理するためのソフトウェア又はアルゴリズム等を備えるのが好ましい。
【０１２２】
図６乃至８は、円形区画３２の形態のゾーン３２内のドラム皮面２の分割の結果が何かを例示するために、張力ボルト３１を用いて伸長させられたドラム皮面２内のセンサ３の可能な位置付けの多数の場合を概略的に提示している。
【０１２３】
これらの場合の各々において、１０個のセンサ３が線ＡＡ’上でシート２の外縁部１６付近に設けられる。
【０１２４】
図６において、シート２は６個の張力ボルト３１を用いて伸長させられているのに対し、図７及び８では、８個及び１０個の張力ボルト３１がそれぞれ使用されている。
【０１２５】
第１の用途は、シート２の同調のためにセンサ３によって供給される測定値の使用であり得る。
【０１２６】
シート２の振動周波数のセンサ３並びに関連する場所における静電容量を介した測定は、シート２が打たれるときにシート２によって生成される一般的な音調を明確にすること(definition)を可能にし、それは正しい音調及びシート２における均一な張力を得るためにどの張力ボルト３１が締め付けられ或いは緩められる必要があるかを表示することを可能にする。
【０１２７】
図６及び７の場合には、例えば、数学的な内挿を行うことによって、特定の張力ボルトに関する情報を得るために、関連する張力ボルト３１付近の幾つかのセンサ３の測定が組み合わせられる必要があることは明らかであるが、図８に提示するような場合においては必ずしもそうではない。
【０１２８】
更に、異なるセンサ３に基づき、シート２内のゾーン３２がどこで打たれるか或いはシート２内の複数のゾーン３２がどこで打たれるかを定めることが可能である。
【０１２９】
この種類の情報を、例えば、信号処理ユニット９を介して同様に打たれる他の打楽器の音響記録に関連付け得る。
【０１３０】
図９乃至１１は、円形シート２上により正確な場３３を定め得ることを例示している。振動するシート２の周波数測定を通じて、例えば、４個の同心ゾーン３４も定め得ると仮定すると（図１１を参照）、それは円形区画の形態の１０個のゾーン３２との組み合わせにおいて全部で４０個までを加え、センサ３を用いて測定することによってそれらの上に情報を供給し得る。
【０１３１】
このようにして、本発明に従った装置１は、シート２の状態のより多くの現実的なイメージを創成し得ることを可能にし、それは、冒頭において提案されているように、多くの新しい用途のための道を切り開く。
【０１３２】
図１２乃至２１は、シート２を打ち得る多数のモードを更に例示している。
【０１３３】
上記の説明に続き、センサ３によって供給される信号８に基づき、本発明に従った装置１はこれらの異なる打撃モードの区別を可能にすることを結論付け得る。
【０１３４】
図１２乃至１４において、シート２は、中心から外れて、中心で、及びシート２の外縁部付近で、シート２をドラムスティック３５でそれぞれ打つことによって活性化される。
【０１３５】
図１２の場合には、シート２を中心で打つことに比べて、より高いピッチの音調が得られ、それによって、主音の隣、より多くの上音、所謂ハーモニックス(harmonics)が活性化される。
【０１３６】
図１３の場合には、より少ないハーモニックスを伴う均衡した音調が得られる。
【０１３７】
図１４の場合は、図１２乃至１４に従った３つの打撃モードのうちの最高ピッチの音調を生成し、それによって、ハーモニックスは強調される。
【０１３８】
図１５乃至１７には、シート２自体の活性化との組み合わせであろうがなかろうがドラムの縁３６が活性化される、多数の打撃モードが提示されている。
【０１３９】
図１５において、ドラムスティック３５はこの縁３６を活性化させるだけであり、縁３６の明確に定められる打撃で高ピッチの乾いた音調を生成する。
【０１４０】
図１６に示すような場合において、ドラムスティック３５の先端はシート２の上に位置しているのに対し、ドラムの縁３６はドラムスティック３５で打たれる。
【０１４１】
これは縁３６の上の木質のパチンという音との組み合わせにおいて暖かい音調を生成する。
【０１４２】
図１７において、シート２は、図１６の場合におけるようにその上に位置する代わりに、ドラムスティック３５の先端で打たれるのに対し、ドラムの縁３６はドラムスティック３５によっても叩かれる。これは鋭い高ピッチの音をもたらす。
【０１４３】
図１８に示す場合において、シート２は第１のドラムスティック３５の先端で押されるのに対し、第２のドラムスティック３５は第１のドラムスティック３５を叩く。
【０１４４】
その結果は高ピッチの音調であり、多くのハーモニックスを活性化する。
【０１４５】
図１９は、シート２の中央における２つのドラムスティック３５を用いた連打を例示しているのに対し、図２０は、縁３６付近の２つのドラムスティックを用いた類似の連打を例示している。
【０１４６】
図１９における第１の場合には、均衡した音調が生成され、少ないハーモニックスを活性化するのに対し、図２０に示す場合には、その結果は、より多くの強調されたハーモニックスを伴うより高いピッチの音調である。
【０１４７】
最後に、図２１は、シート２が２つのドラムブラシ３７によって活性化される状況を示しており、それによって、第１のドラムブラシ３７はシート２に対して押し付けられ、シート２の上を往復移動するのに対し、第２のドラムブラシ３７はシート２を優しく打つ。
【０１４８】
その結果は乾いた音消し音調、ささやく低音連打であり、それによって、シート２はむしろ無音のように打たれる。
【０１４９】
ドラム奏者が過剰な環境騒音を作り出すことなく一組のヘッドホンを通じて真正のドラム音を聴き得るよう、上述したような本発明に従った装置１による打撃モードの検出、場合によっては他のモードの検出を、例えば、メッシュ、穿孔、切欠き、孔、又は穴２９を備えるシート層（又はプライ）２２を備えるシート２との組み合わせにおいて使用し得る。
【０１５０】
本発明は、実施例として上述され且つ図面中に例示される、シート２における物理的特性又は物理的特性の変化の測定のための本発明に従った装置１及びそのような装置１の使用に適合させられるシート２の実施態様に如何様にも限定されず、本発明の範囲を放棄することなく本発明に従ったそのような装置１及びそのようなシート２を多くの形態及び寸法において実現し得る。
【図１】
2014524008.tif 000003
【図２】
2014524008.tif 000004
【図３】
2014524008.tif 000005
【図４】
2014524008.tif 000006
【図５】
2014524008.tif 000007
【図６】
2014524008.tif 000008
【図７】
2014524008.tif 000009
【図８】
2014524008.tif 000010
【図９】
2014524008.tif 000011
【図１０】
2014524008.tif 000012
【図１１】
2014524008.tif 000013
【図１２】
2014524008.tif 000014
【図１３】
2014524008.tif 000015
【図１４】
2014524008.tif 000016
【図１５】
2014524008.tif 000017
【図１６】
2014524008.tif 000018
【図１７】
2014524008.tif 000019
【図１８】
2014524008.tif 000020
【図１９】
2014524008.tif 000021
【図２０】
2014524008.tif 000022
【図２１】
2014524008.tif 000023
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
シートであって、
振動周波数を含む当該シートの１つ又はそれよりも多くの物理的特性を測定するために当該シートに適用される多数のセンサを有する、
シート。
【請求項２】
前記センサは、印刷又は塗装によって当該シートに適用される、請求項１に記載のシート。
【請求項３】
前記センサの少なくとも１つは、抵抗センサ、容量センサ、誘導センサ、及び圧電センサで構成される群から選択される、請求項１又は２に記載のシート。
【請求項４】
前記１つ又はそれよりも多くの物理的特性は、静張力分布、動張力分布、張力の変化、張力の変化の位置、周波数の変化、周波数の変化の位置、及びそれらの組み合わせで構成される群から選択される、請求項１乃至３のうちのいずれか１項に記載のシート。
【請求項５】
前記センサは、選択的に誘電体及び／又は半導体材料との組み合わせにおいて、導電性材料を含む、請求項１乃至４のうちのいずれか１項に記載のシート。
【請求項６】
前記センサは、当該シートに適用される線、条片、又は領域のうちの少なくとも１つの形態の導電性材料を用いて、１つ又はそれよりも多くのコネクタに接続される、請求項１乃至５のうちのいずれか１項に記載のシート。
【請求項７】
前記導電性材料は、金属材料又は導電性の有機ポリマ材料である、請求項６に記載のシート。
【請求項８】
当該シートは、外縁部を有する円形であり、前記外縁部付近で円の上に規則的な間隔で配置されるセンサを有する、請求項１乃至７のうちのいずれか１項に記載のシート。
【請求項９】
少なくとも部分的にメッシュ、穴、切欠き、孔、又はネット形状構造を備える、請求項１乃至８のうちのいずれか１項に記載のシート。
【請求項１０】
多数のシート層又はプライを含む、請求項１乃至９のうちのいずれか１項に記載のシート。
【請求項１１】
少なくとも１つのシート層が、少なくとも部分的にメッシュ、穴、切欠き、孔、又はネット形状構造を備える、請求項１０に記載のシート。
【請求項１２】
少なくとも１つのセンサが、当該シート又はシート層の１つよりも多くの側の上に印刷され或いは塗装される、請求項１乃至１１のうちのいずれか１項に記載のシート。
【請求項１３】
前記センサは、機械的エネルギを電気的エネルギに変換する変換器によって給電される、請求項１乃至１２のうちのいずれか１項に記載のシート。
【請求項１４】
打楽器の皮面として使用されるときの請求項１乃至１３のうちのいずれか１項に記載のシート。
【請求項１５】
請求項１乃至１４のうちのいずれか１項に記載のシートを含む装置であって、
前記センサは、前記物理的特性に応じて電気信号を生成し或いは修正し、当該装置は、前記電気信号を処理するための信号処理ユニットを更に含む、
装置。
【請求項１６】
前記電気信号は、無線通信によって全体的に或いは部分的に前記信号処理ユニットに供給される、請求項１５に記載の装置。
【請求項１７】
前記信号処理ユニットは、
−  前記シートに対する衝撃の強さの関数としての信号、
−  前記シートにおける振動の強さの変化の関数としての信号、
−  前記シートにおける振動の周波数の変化の関数としての信号、
−  前記シートに対する衝撃の位置の関数としての信号、
−  前記シートにおける張力分布の関数としての信号、
−  前記シートにおける張力分布の変化の関数としての信号、
−  前記シートを同調させるための前記シートにおける張力分布に関する表示、
−  前記シートを同調させるための前記シートにおける振動周波数分布に関する表示、
−  前記シートを同調させるための前記シートにおける静張力の量に関する表示、及び
−  それらの組み合わせ
で構成される群から選択される形態の出力を生成する、
請求項１５又は１６に記載の装置。
【国際調査報告】
2014524008.tif 000024
2014524008.tif 000025
2014524008.tif 000026